(57)【要約】【課題】  槽内の上部の水が高温、下部の水が低温に維持されるように、夫々の温度の水を比重差により層状に分離させて使用し、温度の異なる上下の水の混合を抑制することにより、効率の良い蓄熱を図る温度成層型水蓄熱槽においては、水の混合を抑制して熱損失の低減を防ぐことが必要である。【解決手段】  そこで本発明では、一側に多数の吹出口２を形成した長い管体１と、熱源機に連なる主配管３とを分岐管４により接続し、管体は、吹出口を形成している側と分岐管を接続している側の間を多孔板５により区画した構成の温度成層型水蓄熱槽における水の吹出装置を提案している。【選択図】    図１
2005180789.tif 000002
【特許請求の範囲】
【請求項１】
一側に多数の吹出口を形成した長い管体と、熱源機に連なる主配管とを分岐管により接続し、管体は、吹出口を形成している側と分岐管を接続している側の間を多孔板により区画したことを特徴とする温度成層型水蓄熱槽における水の吹出装置
【請求項２】
管体と主配管との間に複数の分岐管を接続したことを特徴とする請求項１に記載の温度成層型水蓄熱槽における水の吹出装置
【発明の詳細な説明】
【技術分野】
【０００１】
本発明は温度成層型水蓄熱槽における水の吹出装置に関するものである。
【背景技術】
【０００２】
電力平準化を目的として安価な深夜電力を用いる蓄熱式空調システムでは、一般的に水蓄熱槽が利用されており、水蓄熱槽には、槽内の水が混合される完全混合型蓄熱槽と温度成層型水蓄熱槽とがある。
【０００３】
後者の温度成層型水蓄熱槽は、槽内の上部の水が高温、下部の水が低温に維持されるように、夫々の温度の水を比重差により層状に分離させて使用し、温度の異なる上下の水の混合を抑制することにより、効率の良い蓄熱を図るものである。このような温度成層型水蓄熱槽においては、水の混合を抑制して熱損失を低減するための各種の方法が提案されている。
【０００４】
例えば特許文献１では、温度成層型水蓄熱槽内の中間高さにある水の比重に合わせた多数の浮体を水中に層状に浮かべて、対流による上下の水の混合を抑制する熱損失低減機構が提案されている。
【特許文献１】特開平１１−３０４３８５号公報
【０００５】
一方、水蓄熱槽内の上下の水の混合を抑制するための他の方法として、熱源機からの水を、できる限り水蓄熱槽内に均一に、且つ遅い速度で吹出口から吹き出して、水蓄熱槽内に乱流が生じないようにすることが効果的である。
【０００６】
図５は水の吹出装置の従来例を示すものである。符号ａは一側に多数の吹出口ｂを形成した長い管体であり、この管体ｂを、熱源機に連なる主配管（図示省略）に分岐管ｃを介して接続している。この例では分岐管ｃは管体ｂの中央部に接続している。
【０００７】
このような従来の構成においては、分岐管ｃから管体ｂ内に流入した水は、分岐管ｃとの接続部の近くに位置する吹出口ｂから、より速く、そしてより多く吹き出して偏流を起こし、水蓄熱槽内に乱流が生じてしまう。
【発明の開示】
【発明が解決しようとする課題】
【０００８】
本発明は、このような点に鑑みて創案されたもので、熱源機からの水を、できる限り均一に、且つ遅い速度で吹出口から水蓄熱槽内に吹き出すことができる温度成層型水蓄熱槽における水の吹出装置を提供することを目的とするものである。
【課題を解決するための手段】
【０００９】
上述した課題を解決するために、本発明では、一側に多数の吹出口を形成した長い管体と、熱源機に連なる主配管とを分岐管により接続し、管体は、吹出口を形成している側と分岐管を接続している側の間を多孔板により区画した温度成層型水蓄熱槽における水の吹出装置を提案するものである。
【００１０】
また本発明では、上記の構成において、管体と主配管との間に複数の分岐管を接続することを提案している。
【発明の効果】
【００１１】
熱源機からの水は主配管を流れ、分岐管を経て長い管体の一方側の空間内に流入し、次いで多孔板を経て他方側の空間内に流入して、吹出口から水蓄熱槽内に吹き出される。
【００１２】
一方側の空間内に流入した水は、多孔板に衝突し、その抵抗により圧力が上昇して、管体の長さ方向に沿って均一に分配され、この状態で多孔板を経て他方側の空間内に流入するため偏流を生じない。また一方側の空間内の水が多孔板を経て他方側の空間内に流入すると圧力が低下するので、吹出口から吹き出す水の速度は遅くなる。このため本発明では、熱源機からの水を、均一に、且つ遅い速度で多数の吹出口から水蓄熱槽内に吹き出すことができる。
【００１３】
管体と主配管との間に複数の分岐管を接続すれば、複数の分岐管によっても、管体の長さ方向に沿って均一な水の分配が図られ、水蓄熱槽内に更に均一に吹き出される。
【実施例１】
【００１４】
次に本発明の実施例を添付図面を参照して説明する。
図１は本発明を適用した温度成層型水蓄熱槽における水の吹出装置の実施例を示す横断面図であり、図２は本発明を適用した温度成層型水蓄熱槽の実施例を示す模式的斜視図である。また図３は要部の平面図、図４は一部を切り欠いて断面表示をした正面図である。
符号１は一側に多数の吹出口２を形成した長い管体である。また３は熱源機（図示省略）に連なる主配管であり、この主配管３と管体１とを複数の分岐管４により接続している。
管体１は、吹出口２の形成側と分岐管４との接続部側の間を多孔板５により区画して、分岐管４との接続部側の空間６と、吹出口２側の空間７を構成している。多孔板５は例えばパンチングメタルや金網等を適用することができる。
【００１５】
以上の構成において、熱源機からの水は、図１に示すように、主配管１から分岐管４を経て、長い管体１の一方側の空間６内に流入し、次いで多孔板５を経て他方側の空間７内に流入して、吹出口２から水蓄熱槽内８に吹き出される。
【００１６】
この際、一方側の空間６内に流入した水は、多孔板５に衝突し、その抵抗により圧力が上昇して、管体１の長さ方向に沿って均一に分配され、この状態で多孔板５を経て他方側の空間７内に流入するため偏流を生じない。また一方側の空間６内の水が多孔板５を経て他方側の空間７内に流入すると圧力が低下するので、吹出口２から吹き出す水の速度は遅くなる。このため本発明では、熱源機からの水を、均一に、且つ遅い速度で多数の吹出口２から水蓄熱槽８内に吹き出すことができる。
【００１７】
尚、図に示す吹出装置において、管体１は、分岐管４から流入する水の流入方向の延長上位置とその近傍位置には吹出口を形成しておらず、このため、これらの位置に吹出口を設けた場合に、その吹出口から速度が速く、量が多い水が吹き出されることを防止することができる。
【００１８】
こうして温度成層型水蓄熱槽において上下の水の混合が抑制され、熱損失を低減することができる。
【００１９】
本発明に係る水の吹出装置は、図２に示すように、管体１を、水蓄熱槽８の上部と下部に位置させるように設置して温度成層型水蓄熱槽８を構成する。この実施例では水蓄熱槽８の上部に位置させた管体１ｕは、吹出口２側を上に向けて配置し、また水蓄熱槽８の下部に位置させた管体１ｄは、吹出口２側を下に向けて設置している。
【００２０】
そして図２に示す運転状態では、上部に設置した管体１ｕと接続している主配管３ｕには熱源機から水が供給されていて、管体１ｕの吹出口２から水蓄熱槽８内の上部に吹き出しており、一方、下部に設置した管体１ｄから吸い込まれた水蓄熱槽８内の下部の水が、分岐管４、主配管３を経て熱源機へ還流している。
【００２１】
この運転状態は、暖房期では熱源機から温水を供給して水蓄熱槽８に温熱を蓄熱している状態、又は冷房期では水蓄熱槽８内の冷水を熱源機方向に還流して、蓄熱された冷熱を使用している状態に相当する。
【００２２】
上記の運転状態とは逆に、冷房期において熱源機から冷水を供給して水蓄熱槽８に冷熱を蓄熱している状態、又は暖房期において水蓄熱槽８内の温水を熱源機方向に還流して、蓄熱された温熱を使用している状態では、下部に設置した管体１ｄと接続している主配管３ｄには熱源機から水が供給されていて、管体１ｄの吹出口２から水蓄熱槽８内の下部に吹き出しており、一方、上部に設置した管体１ｕから吸い込まれた水蓄熱槽８内の上部の水が、分岐管４、主配管３ｕを経て熱源機へ還流する状態となる。
【００２３】
以上のことから分かるように温度成層型水蓄熱槽においては、水蓄熱槽８内の上部と下部に設置した管体１は、水の吹出装置としての動作と、水の吸込み装置としての動作を行うものである。
【００２４】
尚、管体１は水蓄熱槽８の幅に応じて全長を設定して製作する他、単位長さのユニット管体の適数をフランジ接続等により接続して、所望の全長の管体１を製作することもできる。
【産業上の利用可能性】
【００２５】
本発明は以上のとおりであるため、温度成層型水蓄熱槽において、熱源機からの水を、水槽内に均一に、且つ遅い速度で吹出口から吹き出すことができ、以て水槽内に乱流を生じさせず、上下の水の混合による熱損失を効果的に抑制することができ、構造が簡単であることから、安価に提供することができるという効果がある
【図面の簡単な説明】
【００２６】
【図１】本発明を適用した温度成層型水蓄熱槽における水の吹出装置の実施例を示す横断面図である。
【図２】本発明を適用した温度成層型水蓄熱槽の実施例を示す模式的斜視図である。
【図３】本発明を適用した温度成層型水蓄熱槽における水の吹出装置の要部の平面図である。
【図４】本発明を適用した温度成層型水蓄熱槽における水の吹出装置の要部を一部を切り欠いて断面表示した正面図である。
【図５】温度成層型水蓄熱槽における水の吹出装置の従来例を示す正面図である。
【符号の説明】
【００２７】
１（１ｕ，１ｄ）      管体
２                    吹出口
３（３ｕ，３ｄ）      主配管
４                    分岐管
５                    多孔板
６，７                空間
８                    （温度成層型）水蓄熱槽
【図１】
2005180789.tif 000003
【図２】
2005180789.tif 000004
【図３】
2005180789.tif 000005
【図４】
2005180789.tif 000006
【図５】
2005180789.tif 000007